(57)【特許請求の範囲】
【請求項１】
携帯機器のキー入力装置であって、
メインボードと、
伸縮性及び弾性を有するディスプレーと、
前記メインボード上に配置され、互いに離隔して配置される導電性第１パッド及び導電性第２パッドと、
前記ディスプレーの底面に配置され、前記導電性第１パッド及び前記導電性第２パッドと離隔して配置される伸縮性を有するフラットな導電性フィルムと、
前記導電性第１パッドと前記導電性フィルムとの間に配置されて前記導電性第１パッドと前記導電性フィルムとを電気的に接続する部材を備え、
前記ディスプレーが押されると、前記導電性フィルムは、前記ディスプレーとともに変形され、前記導電性第２パッドに電気的に接触され、前記導電性第２パッドは、前記導電性フィルム及び前記部材を介して前記導電性第１パッドに電気的に接続されることを特徴とするキー入力装置。
【請求項２】
前記導電性のフィルムは、ＩＴＯ（Ｉｎｄｉｕｍ  Ｔｉｎ  Ｏｘｉｄｅ）フィルム、カーボンナノチューブフィルム、グラフェンフィルム、金フィルム、及び銀フィルムの中のいずれか一つであることを特徴とする請求項１に記載のキー入力装置。
【請求項３】
前記ディスプレーと前記導電性フィルムの間に介在して両者の間を絶縁するフィルムを更に備えることを特徴とする請求項１に記載のキー入力装置。
【請求項４】
前記ディスプレーに付加され、伸縮性及び弾性を有するタッチパネルを更に備えることを特徴とする請求項１に記載のキー入力装置。
【請求項５】
前記導電性フィルムが押されて前記導電性パッドに接触して電気的に接続されると、前記メインボードは前記携帯機器の電源をオン又はオフすることを特徴とする請求項１に記載のキー入力装置。
【請求項６】
前記ディスプレーは、下側にある前記導電性パッドと前記導電性フィルムの存在を知らせる表示を提供することを特徴とする請求項１に記載のキー入力装置。
【請求項７】
請求項１乃至請求項６のいずれか一項に記載のキー入力装置を備えることを特徴とする携帯機器。
【発明の詳細な説明】
【技術分野】
【０００１】
本発明は、携帯機器のキー入力装置及びこれを備える携帯機器に関する。
【背景技術】
【０００２】
現在、電子通信産業の発達によって、移動通信端末（セルラーホン）、電子手帳、個人複合端末などの携帯機器は、現代社会の必需品になり、急速に変化する情報伝達の重要な手段となっている。
【０００３】
最近、タッチスクリーン携帯機器の活用度が高くなり、更により大きいタッチスクリーンを好む傾向が明確である。タッチスクリーンが大きくなると当然機器のサイズも大きくなるため、機器を小型化しながらも、より大きいタッチスクリーンを構成するために不要な構成を最小化することを代わりにしている。このような代替として、タッチスクリーンの枠フレームを薄くし、機器の外観を形成するケースフレームに置かれるハードウェア的なキーを、タッチスクリーン上でソフトウェア的なキーにより代替している。しかし、携帯機器の電源をオン又はオフするのに使用する電源キーは、タッチスクリーンにソフトウェア的なキーで代替しにくい。更に、このような電源キーだけでなく機器のケースフレームに置かれるのが使用においてより有利なキー（例えば、音量調節キー、ホームキーなど）もまたソフトウェア的なキーに代替することが憚られる。図１は、一般的なタッチスクリーン携帯機器の斜視図であり、タッチスクリーン携帯機器１０が、側面部に電源キー１４を構成していることを示す。しかし、このような電源キー１４のようなキーは、露出していて、汗、湿気などの外部要因によって損傷する可能性があるだけでなく、上述の成り行きに逆行する。
【先行技術文献】
【特許文献】
【０００４】
【特許文献１】韓国特許出願公開第１０−２０１１−００９２６６９号明細書
【発明の概要】
【発明が解決しようとする課題】
【０００５】
本発明は、上記従来の問題点に鑑みてなされたものであって、本発明の目的は、機器の外観を形成するケースフレームに置かれるキーを代替するキー入力装置及びこれを備える携帯機器を提供することにある。
また、本発明の目的は、画面の適所を押すことで携帯機器の電源をオン又はオフさせることができるキー入力装置及びこれを備える携帯機器を提供することにある。
【課題を解決するための手段】
【０００６】
上記目的を達成するためになされた本発明の携帯機器のキー入力装置は、メインボードと、伸縮性及び弾性を有するディスプレーと、前記メインボード上に配置される導電性パッドと、前記ディスプレーの底面に配置される伸縮性を有するフラットな導電性フィルムと、を備え、前記導電性パッドと前記導電性フィルムとは互いに離隔され、前記ディスプレーが押されると、前記導電性フィルムが前記導電性パッドに接触して電気的に接続されることを特徴とする。
【０００７】
前記導電性のフィルムは、ＩＴＯ（Ｉｎｄｉｕｍ  Ｔｉｎ  Ｏｘｉｄｅ）フィルム、カーボンナノチューブフィルム、グラフェンフィルム、金フィルム、及び銀フィルムの中のいずれか一つであり得る。
前記ディスプレーと前記導電性フィルムの間に介在して両者の間を絶縁するフィルムを更に備えてもよい。
前記ディスプレーに付加され、伸縮性及び弾性を有するタッチパネルを更に備えてもよい。
前記導電性フィルムが押されて前記導電性パッドに接触して電気的に接続されると、前記メインボードは前記携帯機器の電源をオン又はオフする。
前記ディスプレーは、下側にある前記導電性パッドと前記導電性フィルムの存在を知らせる表示を提供する。
【発明の効果】
【０００８】
本発明による携帯機器のキー入力装置は、タッチスクリーン携帯機器に限定されずに一般的なディスプレー携帯機器に適用することができ、ディスプレー携帯機器は、キー入力装置を具現するために伸縮性を有するディスプレーを構成する。このような構成によって、使用者はディスプレー携帯機器で、タッチによる入力をすることができる。これにより、本発明による携帯機器のキー入力装置は、機器を綺麗にするだけでなく、外部の損傷要因から保護することができる。
【図面の簡単な説明】
【０００９】
【図１】一般的なタッチスクリーン携帯機器の斜視図である。
【図２】本発明の一実施形態によるタッチスクリーン携帯機器の斜視図である。
【図３】本発明の一実施形態によるキー入力装置の構成を示す図面である。
【図４】本発明の他の実施形態によるキー入力装置の構成を示す図面である。
【図５】本発明の一実施形態によるキー入力装置を扱う画面である。
【発明を実施するための形態】
【００１０】
以下、本発明を実施するための形態の具体例を、図面を参照しながら詳細に説明する。下記で本発明を説明するにあたり、関係する公知の機能又は構成についての具体的な説明が本発明の要旨を不必要に曖昧にするおそれがあると判断される場合には、その詳細な説明を省略する。そして後述する用語は、本発明における機能を考慮して定義した用語として、これは使用者、運用者の意図又は慣例などによって変わることがある。従って、その定義は、本明細書の全体の内容を基に判断しなければならない。
【００１１】
図２は、本発明の一実施形態によるタッチスクリーン携帯機器の斜視図である。
【００１２】
図２を参照すると、タッチスクリーン携帯機器２０は、電気信号を音で出力するスピーカー２１と、電気信号を画像で出力し、タッチによる電気信号の入力を受けるタッチスクリーン２２、及び音を電気信号に変換するマイクロホン２３を備えている。
【００１３】
タッチスクリーン携帯機器２０は、電源をオン又はオフすることができる電源キーを全面部２００に構成する。特に、タッチスクリーン２２は伸縮性と弾性を有し、電源キーはタッチスクリーン２２の下に置かれる。例えば、使用者がタッチスクリーン２２の適所を押すと、電源キーが押される。
【００１４】
図３は、本発明の一実施形態によるキー入力装置の構成を示す図面である。
【００１５】
図３を参照すると、本発明の一実施形態によるキー入力装置３００は、メインボード３１０と、メインボード３１０の上に積層されているタッチスクリーン３２０、及びこの両者の間に置かれるプッシュスイッチ３３０を備えている。
【００１６】
メインボード３１０は基本的な回路と部品を含む基板である。メインボード３１０は、携帯機器の実行環境を設定し、その情報を保持して携帯機器を安定的に駆動するようにし、携帯機器の全てのデバイスのデータ入出力を円滑にする部分である。メインボード３１０は、制御部（ＣＰＵ）、マイクロプロセッサー、補助プロセッサー、メモリー、バイアス、接続回路などの部品を搭載する。
【００１７】
タッチスクリーン３２０は、ディスプレーとディスプレーの上に付け加えられたタッチパネルを備えて変形することができ、例えば伸縮性と弾性を有している。従って、ディスプレーとタッチパネルは伸縮性を有する材質であることは自明である。
【００１８】
プッシュスイッチ３３０は、メインボード３１０に置かれる導電性の第１パッド３１１と第２パッド３１２、及び第１パッド３１１と常時接触して隆起した上端部が第２パッド３１２の上に置かれる導電性の弾性ドーム３１３を備えている。更に、プッシュスイッチ３３０は、弾性ドーム３１３とタッチスクリーン３２０を絶縁するフィルムを介在することができる。
【００１９】
タッチスクリーン３２０が伸縮性を有しているので、使用者はタッチスクリーン３２０の適所を加圧することで導電性の弾性ドーム３１３を加圧することができる。導電性の弾性ドーム３１３の隆起した上端部は３１５の形のように第２パッド３１２と接触し、第１パッド３１１と第２パッド３１２が電気的に接続され、メインボード３１０はスイッチオンであることを感知する。
【００２０】
加圧が解除されると、タッチスクリーン３２０と導電性の弾性ドーム３１３は復元し、第１パッド３１１と第２パッド３１２の電気的接続が切断され、メインボード３１０はスイッチオフであることを感知する。
【００２１】
図４は、本発明の他の実施形態によるキー入力装置の構成を示す図面である。
【００２２】
図４を参照すると、本発明の他の実施形態によるキー入力装置４００は、メインボード４１０と、メインボード４１０の上に積層されるタッチスクリーン４２０、及びこの両者の間に置かれるプッシュスイッチ４３０を備えている。
【００２３】
タッチスクリーン４２０は、ディスプレーとディスプレーの上に付け加えられたタッチパネルを備えて変形することができ、例えば伸縮性と弾性を有している。
【００２４】
プッシュスイッチ４３０は、メインボード４１０に置かれる導電性の第１パッド４１１と第２パッド４１２、及び第１パッド４１１と常時接触して第２パッドと離隔するようにタッチスクリーン４２０の底面に置かれて伸縮性を有する導電性の弾性フィルム４１３を備えている。スイッチ４３０は、第１パッド４１１と導電性の弾性フィルム４１３を電気的に接続する部材４１４を含む。更に、スイッチ４３０は、導電性の弾性フィルム４１３とタッチスクリーン４２０を絶縁するフィルムを介在することができる。導電性の弾性フィルム４１３は、ＩＴＯ（Ｉｎｄｉｕｍ  Ｔｉｎ  Ｏｘｉｄｅ）フィルム、カーボンナノチューブフィルム、グラフェンフィルム、金フィルム、銀フィルムなどがある。
【００２５】
タッチスクリーン４２０が伸縮性を有しているので、使用者がタッチスクリーン４２０の適所を加圧すると、タッチスクリーン４２０と一緒に伸縮する導電性の弾性フィルム４１３は４１５の形のように第２パッド４１２と接触し、第１パッド４１１と第２パッド４１２が電気的に接続され、メインボード４１０はスイッチオンであることを感知する。
【００２６】
加圧が解除されると、タッチスクリーン４２０と導電性の弾性フィルム４１３は復元し、第１パッド４１１と第２パッド４１２の電気的接続が切断され、メインボード４１０はスイッチオフであることを感知する。
【００２７】
図５は、本発明の一実施形態によるキー入力装置を扱う画面である。
【００２８】
図５を参照すると、使用者はタッチスクリーン携帯機器の電源をオン又はオフする場合にタッチスクリーンの適所を加圧する。このような加圧位置を文字、記号、色相などで表示することができる。
【００２９】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００３０】
１０、２０    タッチスクリーン携帯機器
１４    電源キー
２１    スピーカー
２２、３２０、４２０    タッチスクリーン
２３    マイクロホン
２００    全面部
３００、４００    キー入力装置
３１０、４１０    メインボード
３１１、４１１    第１パッド
３１２、４１２    第２パッド
３１３    弾性ドーム
３３０、４３０    プッシュスイッチ
４１３    導電性の弾性フィルム
４１４    部材
【図１】
0005562381.tif 000002
【図２】
0005562381.tif 000003
【図３】
0005562381.tif 000004
【図４】
0005562381.tif 000005
【図５】
0005562381.tif 000006